(57)【特許請求の範囲】
【請求項１】
底部（１）を含み、該底部上には前部長手方向開口部（３）を備えた胴部（２）が取り付けられ、前記胴部は、前記靴底（１）の箇所に位置する取付区域（４１）から該胴部の側面（６，７）上に自由に延在する少なくとも１の可動フラップ（１０）を使用する緊締装置（８）により、該前部長手方向開口部（３）の両縁部（４，５）を近付けることによって足部に対し調節可能であるスポーツ靴において、
前記胴部（２）は、前記可動フラップ（１０）が位置する側面（６，７）上に横断方向切り抜き部（１３）を有し、前記横断方向切り抜き部の縁部（１４，１５）は、少なくとも前記可動フラップの縁部（１６，１７）の幅（Ａ’）よりも広い幅（Ａ）の間隔をおいて設けられ、かつ該横断方向切り抜き部は、靴底（１）から、該切り抜き部が連通する前記前部長手方向開口部（３）にまで達すること：および
前記横断方向切り抜き部（１３）はプラスチック等の比較的強度の高い材料で作られる撓曲可能な薄板（１８）によって前記胴部の内側から閉じられ、前記可動フラップは、前記緊締装置（８）によって該フラップに加わる締付け作用に際して、前記撓曲可能な薄板（１８）に押し付けられることにより前記横断方向切り抜き部内に収容されることを特徴とするスポーツ靴。
【請求項２】
前記横断方向切り抜き部（１３）と前記可動フラップ（１０）が靴の先端部（１１）と後部（１２）との間に、足甲部区域に対応して位置することを特徴とする請求項１によるスポーツ靴。
【請求項３】
前記撓曲可能な薄板（１８）と前記可動フラップ（１０）の各々が、靴底（１）の側に向けられて前記靴底（１）と係合し、かつ該靴底の箇所で敷き革（４２，４３）と係合して前記撓曲可能な薄板（１８）と前記可動フラップ（１０）の取付け（４１）を可能にする固定用脚部（２６，２７）を含むことを特徴とする請求項１または２によるスポーツ靴。
【請求項４】
前記撓曲可能な薄板（１８）が、足部の輪郭にほぼ対応する輪郭の、敷き革（４３）を構成する平坦で細長い部分と一体的に作られることを特徴とする請求項３によるスポーツ靴。
【請求項５】
前記撓曲可能な薄板（１８）が、前記横断方向切り抜き部（１３）を画定する縁部（１４，１５）の下方に延在し、かつ、ミシン縫い、接着等の手段によって、前記撓曲可能な薄板を固定可能にするための側方縁取り部（１９，２０）を有することを特徴とする請求項１ないし４のいずれか１によるスポーツ靴。
【請求項６】
前記横断方向切り抜き部（１３）が、少なくとも靴の先端部（１１）の方向に幅を広げて、靴底（１）から靴胴部（２）の前部長手方向開口部（３）にまで達することを特徴とする請求項１ないし５のいずれか１によるスポーツ靴。
【請求項７】
前記撓曲可能な薄板（１８）が、靴胴部（２）の前部長手方向開口部（３）の対応する前記縁部（５）の少なくとも一部分を構成する上部縁取り部（２１）を有することを特徴とする請求項１ないし６のいずれか１によるスポーツ靴。
【請求項８】
前記撓曲可能な薄板（１８）の上部縁取り部（２１）が、前記緊締装置（８）のひも締め部材（９）用の少なくとも１の環金（２２，２３）を含むことを特徴とする請求項７によるスポーツ靴。
【請求項９】
前記可動フラップ（１０）が、幅を広げて該可動フラップの取付区域（４１）から、前記緊締装置（８）が設けられるひも締め部材（９）用の少なくとも１の環金（２５）を備える、靴胴部（２）の前部長手方向開口部（３）にまで達することを特徴とする請求項１ないし８のいずれか１によるスポーツ靴。
【請求項１０】
前記撓曲可能な薄板（１８）が、少なくとも横断方向切り抜き部（１３）を画定する縁部（１４，１５）の輪郭に沿う少なくとも１の隆起縁部（３１）を含み、前記隆起縁部（３１）は前記横断方向切り抜き部（１３）と前記可動フラップ（１０）のそれぞれの縁部間に介在し、かつ前記横断方向切り抜き部（１３）の箇所における胴部の壁面の厚さと、前記可動フラップ（１０）の壁面の厚さとにほぼ相当する高さを有することを特徴とする請求項１ないし９のいずれか１によるスポーツ靴。
【請求項１１】
前記可動フラップ（１０）の側方縁部（１６，１７）が前記横断方向切り抜き部（１３）の縁部（１４，１５）の輪郭に、少なくとも部分的に沿うことを特徴とする請求項１０によるスポーツ靴。
【請求項１２】
前記撓曲可能な薄板（１８）によって閉じられる横断方向切り抜き部（１３）上で少なくとも１の可動フラップ（１０）を使用する緊締装置（８）が、該靴胴部（２）の各側面（６，７）上に位置することを特徴とする請求項４ないし１１のいずれか１によるスポーツ靴。
【請求項１３】
前記撓曲可能な薄板（１８）の各々が、敷き革（４３）を構成する平坦で細長い部分と一体的に作られることを特徴とする請求項１２によるスポーツ靴。
【発明の詳細な説明】
【０００１】
本発明は、スポーツ靴に関し、より詳しく述べると、足部の締め付けと保護の機能を、靴胴部の外側に配設されて該胴部に押し付けられる少なくとも１の可動フラップと共働する緊締装置を利用することによって実現するスポーツ靴に関する。
【０００２】
イギリス特許第３６３，００８号、フランス特許第５６９６９４号、フランス特許第２６９４１６７号およびイギリス特許第１，５４５，４７５号各明細書に記載されているようなこの種の公知のスポーツ靴は、一般に、その胴部上に前部長手方向の開口部を備え、かつ、少なくとも１の可動フラップを使用するのに適した緊締装置を用いて、開口部の両縁部（すなわち、胴部の両側面）を近付けることにより足部に対する調節が可能である。教示されているように、この１または複数の可動フラップは、前部長手方向開口部から離れていて、かつ靴底の箇所に位置する取付区域から、靴胴部の対応する側面上に自由に延在する。このような各種の配置構成により、可動フラップに対して締め付け作用が及ぶと、該可動フラップは靴胴部の対応する側面に押し付けられ、これにより該側面に対して足部の方向に締め付け付勢を行い、この結果、胴部の前部長手方向開口部の両縁部が近付けられる。また、可動フラップに対してこの同じ締め付け作用が行われるので、靴の壁面はフラップの箇所において二重の厚みを与えられることになる。その理由は、靴の壁面が互いに重なり合った靴胴部の側壁面とフラップの壁面とで構成されるからである。したがって、靴の壁面は、各々の可動フラップの箇所においてその強度が増大し、外部に対する（特に衝撃に対する）足の保護を顕著に改善する。
【０００３】
さらに、可動フラップの使用はまた、ひも部材が靴胴部に対して直接引張作用を及ぼす従来型の靴の場合のように靴胴部に対して基本的かつ全体的に引張作用を及ぼす代わりに、このフラップが延在する靴胴部の区域に応じて選択的に、このフラップに対して締め付け応力の大部分を配分可能にする。すなわち、少なくとも１の可動フラップを有するこのような靴は、緊締装置の制御を受けるのがフラップであるため、この可動フラップ（単数および／または複数）の箇所で胴部に対して直接引張作用を及ぼすことなしに、足部の良好な保護と緊締を確保できるようにする。しかしながら、これらのフラップは、とりわけ足部に対する締め付け応力の配分と、急速な摩耗および損傷といった諸問題に関していくつかの欠点を有する。すなわち、この種の靴においては、胴部の壁面と可動フラップ（単数および／または複数）との間に生じる摩擦および変形が、胴部を介して足部にかかる緊締力の一部を吸収してしまう。
【０００４】
この欠点は、胴部およびフラップの少なくとも一方が、一般的に使われる皮革のような弾性率の高い材料でできている場合には、なおさら顕著なものとなる。その上、このような靴の可動フラップは、胴部の側壁面上に厚み代をもって配置されるので、結果としてこれらの可動フラップが、外的要因や有害作用に際立って曝される突出部分となり、引っかかったり、破れたり、さらには引きちぎられたりさえすることがあり、したがって靴全体として見た場合早く摩耗する可能性がある。
【０００５】
本発明は、上述したような靴の欠点を除去することを目的とし、とりわけ、可動フラップに加わるほぼ全体的な緊締力を靴胴部の方向（すなわち、足部の方向）に伝達できるようにし、かつ靴胴部の壁面上に突出する部分を有しないような、可動フラップと共働する緊締装置を提案する。
【０００６】
もう１つの目的は、可動フラップの箇所で、胴部から独立して（すなわち、胴部に直接作用を及ぼさないで）かつ、フラップの取り付け区域を靴底近くに位置させることによって、該靴底により大きな基準を置く締め付け機能を維持することである。
【０００７】
また、本発明は、可動フラップと胴部との間に生ずる摩擦を減少させて、緊締装置の効率を最適にすることをも目的とする。
【０００８】
さらに、他の一目的は、寸法が異なる靴のために標準的な締め付けモデルを構成できるような締め付けセットを実現することである。
【０００９】
これらの目的を達成するために、本発明の靴は底部を含み、該底部上には、前部長手方向開口部を備えた胴部が取り付けられ、該胴部は、靴底の箇所に位置する取付区域から胴部の側面上に自由に延在する少なくとも１の可動フラップを使用する緊締装置により該長手方向開口部の両縁部を近付けて、足部に対する調節を可能にする。この靴の特徴は、該胴部が、可動フラップが位置する側面上に、少なくとも前述のフラップの幅よりも広い幅の横断方向切り抜き部を有し、この切り抜き部は、靴底から、該切り抜き部が連通する前部長手方向開口部にまで達することである。この横断方向切り抜き部は、胴部の内側から、例えばプラスチックのような比較的強度の高い材料で作られた撓曲可能な薄板によって閉じられる。このような特徴により、可動フラップは、緊締装置によってフラップが締め付けられるとき、この撓曲可能な薄板に押し付けられることによって、横断方向切り抜き部内に収容され、したがって、全体として見た場合、靴よりも早く摩耗する可能性のある胴部の側面上の突出部分をもはや構成しなくなる。
【００１０】
可動フラップは、一方では、対応する胴部の壁面（すなわち、撓曲可能な薄板）と該フラップとの間に生じる摩擦を減少させるために、また他方では、外部からの締め付けによって生じる可能性のある襞のような変形の恐れを減少させるために、プラスチック材料製の撓曲可能な薄板として作るのが有利である。この結果、緊締装置に加えられる緊締力のほとんど全部が胴部を介して復元され、かつ外部に対する胴部の壁面の強度は、撓曲可能な薄板のためにプラスチック材料を使用することによって保たれるので、締め付けに対する靴胴部の適応性が改善される。
【００１１】
このように案出された靴は、上述したような可動フラップを使用する緊締装置を含む公知の靴の長所をそのまま受け継ぎ、足部に対する締め付け応力の配分ならびに可動フラップの損耗に関する短所を有しない。
【００１２】
横断方向切り抜き部と可動フラップは、締め付け効果を高めるように、また、とりわけ締め付けによって装着者の踵部が靴の後部のシート部に戻されるように、靴の先端部と後部間で、ほぼ足甲部区域に相当する位置にあるのが好ましい。
【００１３】
本発明の一特徴によれば、撓曲可能な薄板と可動フラップの各々は、靴底側を向いた固定用脚部を含み、この固定用脚部は、靴底の箇所で靴底と係合してこれらの部材を組み立て可能にするためのものである。靴底との係合によるこれら部材の組み立ては、インソール（敷き革）上で行われるのが好ましい。これにより、締め付け装置が可動フラップを使用する際に、フラップによって胴部に伝達される締め付け作用が、靴底の箇所から足甲部まで徐々に足部上で感じ取られる。
【００１４】
可動フラップと撓曲可能な薄板に用いられるプラスチック材料は、これらの部材を一般的な接着法方によって組み立てる場合に、靴底の構成材料と適合できるようにするのはもちろんである。
【００１５】
別の一特徴によれば、撓曲可能な薄板は、一方では、横断方向切り抜き部を画定する縁部の下方に延在し、かつ、ミシン縫い、接着等何らかの公知の手段によってこの薄板を固定できるようにするための側方縁取り部を有し、また他方では、胴部の前部長手方向開口部の対応する縁部の少なくとも一部分を構成する上部縁取り部を有する。撓曲可能な薄板のこの上部縁取り部は、該横断方向開口部の両側に伸び出ていて、可動フラップが占める区域以外の所に、緊締装置のひもによる締め付けのための少なくとも１の環金（すなわち、アイレット）を含むのが好ましい。一実施態様によれば、本発明はとりわけ、前部長手方向開口部の全長に亙って延在し、この開口部の縁部の１を構成する上部縁取り部を有する撓曲可能な薄板を製作することから成る。このような構造の場合には、撓曲可能な薄板の上部縁取り部は、特に靴の先端部側および通常屈曲襞部と呼ばれる足甲部の上方区域に、複数の環金（すなわち、アイレット）を備えている。この配置構成により、撓曲可能な薄板と可動フラップによって担持される環金（すなわち、アイレット）の箇所に加わる締め付け応力が靴胴部の対応する側面の広い面積に亙って（とりわけ、縫い目、接着部等に沿って）、また靴底箇所の取付け・係止区域の広い面積に亙って配分されるので、局所的に大きく圧力が加わるのを防止できる。
【００１６】
一実施態様によれば、撓曲可能な薄板は、少なくとも横断方向切り抜き部を画定する縁部の輪郭に沿うすくなくとも１のパッド（bourrelet）を含み、このパッドは横断方向切り抜き部と可動フラップのそれぞれの縁部間に介在し、かつ該横断方向切り抜き部の箇所における胴部の壁面の厚みと、該可動フラップの壁面の厚みとにほぼ相当する高さを有する。
【００１７】
好ましい一実施態様によれば、上で説明したような撓曲可能な薄板によって閉じられる横断方向切り抜き部上で少なくとも１の可動フラップを使用する緊締装置が、靴胴部の各側面上に位置する。したがって、靴全体は３の部分から構成される。すなわち、爪先を覆う先端部、踵を包み込む後部、および先端部と後部との間に挿入されて胴部全体の接合を確実に行う締め付けセットである。このような構造の結果として、靴の先端部と後部、そしてもちろん靴底の寸法を変えるだけで、締め付けセットの寸法を変更する必要なしに複数の寸法をカバーすることができる。したがって、締め付けセットは、寸法の異なる靴について標準的な締め付けモデルを構成することができる。
【００１８】
同じく上記の構造によれば、「インソール（敷き革）」を構成する足部の輪郭にほぼ対応する輪郭の平らで細長い部分と一体の２の撓曲可能な薄板を得ることができて有利である。言うまでもなく、この平らで細長い部分は、少なくともその輪郭の一部分に、胴部のための補強用側方へり部を含むことができ、このへり部は、場合により、このへり部が踵区域に位置するとき、かかと革を形成する。このような形状においては、締め付けセットと、実際に靴の「床」となる「インソール」部分との間に真の相乗作用および／または相互作用が生じるので、極めて効果の高い締め付けセットが得られる。
【００１９】
もちろん、靴は、インソールを構成する部分と一体的に得られる唯一の撓曲可能な薄板を用いて製作してもよい。
【００２０】
いずれにせよ、本発明は、例として本発明を含む靴の一実施態様を示す添付の概略図を参照して以下に述べる説明を読むことによりさらに良く理解することができよう。
【００２１】
図１に例として示す靴は「マルチ・アクティビティ」型と呼ばれるもので、公知の要領で外底１を含み、この外底上には、爪先部を覆う先端部１１と踵部を包み込む後部１２とを有する胴部２が取り付けられる。胴部２は、上部に、該胴部の側面６および７の上端を形成する縁部４および５で画定される前部長手方向開口部３を備えている。この開口部３は、靴の着脱時に、装着者の足（図示されていない）の通過を可能にするとともに、側面６および７の各々に可動フラップ１０を作動させるひも９とアイレット（環金）２２、２３、２４、２５を備えた緊締装置８を用いて胴部２の縁部４および５を近付けることにより、足部に対して胴部を調節可能にするためのものである。各々の可動フラップ１０は、靴底１の箇所に位置する（すなわち、長手方向開口部３から離れた位置にある）取付区域４１から、胴部２の対応する側面６、７上に自由に延在する。このようにして、フラップ１０がそのアイレット２５を介して連結されているひも９を備えた緊締装置８の締め付け作用を受けると、フラップは側面６、７に押し付けられて、胴部２に直接引張作用を及ぼすことなしに、足部の方向にこの側面を締め付ける。
【００２２】
特に図２に見られる１の特徴によれば、胴部２は各々の側面６、７上で、各々の可動フラップ１０と向き合って、胴部２の内部から撓曲可能な薄板１８で閉じられる横断方向切り抜き部１３を含む。この横断方向切り抜き部１３の縁部１４、１５は、少なくとも可動フラップ１０の両側縁部１６、１７間の幅Ａ’よりも広い幅Ａだけ離れており、この結果フラップ１０に締め付け作用が加わると、該フラップは切り抜き部１３内に収容されて胴部の外面と同じ高さに位置するとともに、図３に詳細に示されるように、下側に配置される撓曲可能な薄板部材１８に支承されることによって胴部２の側面６、７を締め付ける。
【００２３】
撓曲可能な薄板１８は、フラップ１０と同じく、プラスチックのような比較的強度の高い材料で製作され、かつこの薄板の側縁部１９、２０は、接着、ミシン縫い等何らか公知の手段によってこの薄板を固定できるように、切り抜き部１３の縁部１４、１５の下部に延在する。各々の撓曲可能な薄板１８の上縁部２１は、横断方向切り抜き部１３の縁部１４、１５の両側に伸び出て、長手方向開口部３の対応する縁部４または５のほぼ全体を構成し、環金あるいはアイレット２２、２３および／または２４をこの上縁部に取付・固定できるようにすると有利である。これにより、これらの環金あるいはアイレット２２、２３および／または２４に加わる締め付け応力は、縫い目、接着部等に沿って、撓曲可能な薄板１８から胴部２の対応する側面６、７上の広い範囲に亙って分配されるので、胴部２に対する局所的な過度の圧力を防止することができる。
【００２４】
例として、図示されているこの実施態様において、撓曲可能な薄板１８の上縁部２１は、とりわけ、胴部２の先端の一方側に位置する環金２２と、屈曲襞部２８の区域で１２（すなわち、足甲部の上方）に位置する環金２３とを備える。横断方向切り抜き部１３は、図２に示すように、靴底１から長手方向開口部３まで延在し、撓曲可能な薄板１８ならびに可動フラップ１０を、靴底１の位置で、例えば、それぞれ固定用脚部２６、２７を介して、靴底１と結合させて取り付け４１でできるようにするのが好ましい。また、撓曲可能な薄板１８と可動フラップ１０は、「インソール（敷き革）」４２上に取り付けられるのが好ましい。このような配置構成により、緊締装置８が可動フラップ１０を作動させるとき、締め付け作用が、基準となる靴底１の箇所から足上で感じ取られる。この同じ配置構成により、靴胴部２は実際上異なる３の部分に分割される。すなわち、靴の先端部分１１、後部分１２、および各々の側面６、７上の「締め付けセット」によって構成される中間部分である。この締め付けセットは切り抜き部１３と、薄板１８と、可動フラップ１０とを含む。
【００２５】
したがって、先端部１１および／または靴胴部の後部分１２ならびに靴底１の寸法を変えるだけで、唯一の締め付けセットで複数の寸法を充分カバーすることができる。
【００２６】
締め付けを効果的に行うために、各々の横断方向切り抜き部１３は、各々の側面６、７上で、先端部１１と足甲部区域に相当する靴胴部２の後部１２との間に設けられる。この結果、締め付けは、装着者の踵を靴の後部分１２ときっちりと嵌合させる効果を有する。
【００２７】
図１ないし図４に見られる構造の詳細によれば、撓曲可能な薄板１８は、少なくとも横断方向切り抜き部１３の縁部１４、１５の輪郭に沿う隆起縁部（パッド）３１を含む。この隆起縁部３１は、切り抜き部３１の縁部１４、１５と可動フラップ１０の縁部１６、１７との間で側方に介装され、かつ、該切り抜き部１３の箇所における靴胴部２の壁面の厚みと可動フラップ１０の壁面の厚みにほぼ等しい高さを有する。
【００２８】
言うまでもなく、本発明による靴は、図２および図３に示されるように、快適性のためのライニング（内張り）３３を含んでもよい。
【００２９】
もちろん、本発明の範囲を逸脱することなく、換気−通気用手段（あるいはシステム）のような特定の装置を、上述した締め付けセット、特に撓曲可能な薄板１８に適合させることも可能である。同様に、例として図５に示すように、少なくとも１の撓曲可能な薄板１８を、「敷き革」と成る足部の輪郭にほぼ等しい輪郭を有する平らで細長い部分４３と一体的に製作することも可能である。可動フラップ１０と撓曲可能な薄板１８を備えた締め付け装置８を各々の側面６、７上に配設する図１から図４までを参照して上述した靴の構造の場合、敷き革を形成する部分４３と一体的に製作されるのが両方の撓曲可能な薄板１８であると有利である。これにより、締め付けセットの様々な構成要素（すなわち、フラップ１０、薄板１８、緊締装置８およびソック・ライニング（清潔用敷き革）４３）が互いに作用し合うため、非常に均質な締め付けセットが得られる。
【００３０】
切り抜き部１３および／または可動フラップ１０の形状は、縁部１４、１５および１６、１７によって限定されるが、これらの縁部は好みに応じて、一方（単数）１４、１６が他方（単数）１５、１７に対して、あるいは一方（複数）１４、１５が他方（複数）１６、１７に対して平行であってもよいし、平行でなくてもよい。
【００３１】
開口部１３はフラップ１０と同様に、靴底１から開口部３へ向けて、先端部１１および／または胴部２の後部分１２あたりで次第に幅広となる形状を有してもよい。
【図面の簡単な説明】
【図１】閉じた位置で靴胴部の各側面上に可動フラップを有する緊締装置を備えた靴を示す斜視図である。
【図２】図１の靴をその特徴のいくつかとともに示す要部の分解斜視図である。
【図３】図１の靴のIII−III線に沿って見た断面図で、構造の詳細を示すものである。
【図４】図１の靴のIV−IV線に沿って見た横断面図で、胴部の対応する側面に押し付けられた位置にある可動フラップと、離れた位置にある可動フラップとを示すものである。
【図５】本発明の一特徴的要素を示す実施態様である。
【符号の説明】
１  靴底
２  靴胴部
３  前部長手方向開口部
４、５  縁部
６、７  側面部
８  緊締装置
９  ひも部材
１０  可動フラップ
１１  （靴の）先端部
１２  （靴の）後部
１３  横断方向切り込み部
１４、１５  （横断方向切り込みの）縁部
１６、１７  側方縁部
１８  撓曲可能な薄板
１９、２０  側方縁取り部
２１  上部縁取り部
２２、２３、２５  環金（アイレット）
２６、２７  固定部分
３１  隆起縁部（パッド）
４１  取付区域
４２  敷き革
４３  平坦で細長い部分
【図１】
0003942690.tif 000002
【図２】
0003942690.tif 000003
【図３】
0003942690.tif 000004
【図４】
0003942690.tif 000005
【図５】
0003942690.tif 000006